(57)【要約】  【課題】  事前に録画予約情報の設定記憶を行い、録画機器の録画予約をまとめて実行できるリモートコントロール機能付き携帯端末装置を提供することを目的としている。  【解決手段】  情報データ送受信機能と録画機器をリモコン操作できるリモコン機能部２３を有す携帯端末装置において、リモコン機能部２３によりリモコン操作を行う１以上の録画機器を特定し、テレビ番組情報から録画予約する１以上のテレビ番組と録画機器の選択を行い、その選択したテレビ番組と録画機器の関連付けてリモコン用メモリ２４に記憶させ、テレビ番組を録画予約させる録画機器にリモコン機能部２３により録画予約番組情報を送赤外線発光素子２６から赤外線リモコン信号により録画機器に送信設定するリモートコントローの機能付き携帯端末装置。  【選択図】  図１
2005197840.tif 000002
【特許請求の範囲】
【請求項１】
少なくとも、情報データ送受信機能、及び録画機器を遠隔操作するリモートコントロール機能を有する携帯端末装置において、
前記リモートコントロール機能により遠隔操作を行う１以上の録画機器を特定する録画機器特定手段と、
テレビ番組データから録画予約する１以上のテレビ番組の選択と、その選択したテレビ番組を録画させる録画機器の選択を行い、その選択したテレビ番組と録画機器の情報を入力する録画予約入力手段と、
この録画予約入力手段から入力された１以上のテレビ番組と録画機器を関連付けて記憶させる録画予約記憶手段と、
この録画予約記憶手段に記憶されている１以上の録画予約テレビ番組を録画する録画機器に前記リモートコントロール機能を用いて録画予約テレビ番組情報を送信する録画予約送信手段と、
を具備することを特徴としたリモートコントロール機能付き携帯端末装置。
【請求項２】
前記録画予約入力手段は、前記情報データ送受信機能を用いてテレビ番組データの専用データベースからテレビ番組データを入手し、そのテレビ番組データから録画予約するテレビ番組を選択して、入力することを特徴とした請求項１記載のリモートコントロール機能付き携帯端末装置。
【請求項３】
前記録画予約入力手段は、録画予約するテレビ番組に関する少なくとも放送チャンネル、番組開始月日と時刻、番組終了時刻、及び録画機器をキー入力することを特徴とした請求項１記載のリモートコントロール機能付き携帯端末装置。
【請求項４】
前記録画予約入力手段は、テレビ番組を識別するＧコードに対応する番組情報を有し、録画予約するテレビ番組のＧコードが入力された際に、対応する番組情報に変換することを特徴とした請求項１記載のリモートコントロール機能付き携帯端末装置。
【請求項５】
前記録画予約送信手段は、前記録画予約記憶手段に記憶されている１以上の録画予約テレビ番組情報を録画機器毎に一括送信することを特徴とした請求項１記載のリモートコントロール機能付き携帯端末装置。
【請求項６】
前記録画予約送信手段は、前記録画予約記憶手段に記憶されている１以上の録画予約テレビ番組情報を録画記録機器毎に、かつ、録画予約する個別のテレビ番組毎に送信することを特徴とした請求項１記載のリモートコントロール機能付き携帯端末装置。
【発明の詳細な説明】
【技術分野】
【０００１】
本発明は、携帯端末装置に内蔵されている電子機器のリモートコントロール機能を用いて、テレビ番組の録画予約を行うリモートコントロール機能付き携帯端末装置に関する。
【背景技術】
【０００２】
近年、テレビ受像機、及び録画機器等の電子機器は、離れた場所から電子機器を操作するためのリモートコントロールが設けられている。また、録画機器は、ビデオカセットテープ、ハードディスク（ＨＤＤ）、及びデジタルビデオディスク（ＤＶＤ）等を録画媒体とした機器が実用化されている。
【０００３】
このような電子機器において、特に録画機器によるテレビ放送番組の録画予約は、それぞれの録画機器専用に設けられたリモートコントロール（以下、単にリモコンと称する）を用いて録画予約している。
【０００４】
この録画予約は、録画機器専用のリモコンにより録画機器の前面のリモコン信号の届く範囲において行う必要がある。この録画予約を行う際には、録画予約するテレビ番組の放送チャンネル、番組の放送開始月日と時刻、番組終了時刻、及び録画モードの入力が必要となり煩雑である。この煩雑な録画予約入力を簡素化するために、テレビ番組に付されたＧコードによる入力、及びテレビ信号に重畳されている電子番組ガイド（ＥＰＧ）情報を用いた入力が実用化されている。このＧコード、及びＥＰＧによる録画予約入力も録画機器の専用リモコンからの入力となる。
【０００５】
このために、インターネットなどのネットワークに接続可能なリモコンを用いてネットワークからリモコンにアクセスすることにより録画予約するシステムが、例えば、特許文献１に提案されている。このネットワーク接続可能なリモコンを用いることにより、ネットワークへのアクセスが可能なパソコンから時間と場所に制約されずに録画予約することかできる。
【０００６】
また、複数の電子機器それぞれの専用リモコンは、使用する電子機器に応じてリモコンも使い分けする必要がある。このために、複数の電子機器に対して共通使用できるリモコンも実用化されている。
【０００７】
また、これら電子機器のリモコンに変えて、例えば、非特許文献１に示すように、赤外線信号の送信が可能な携帯電話に電子機器のリモコン機能を内蔵されるようになっている。    
【特許文献１】特開２００３−２８３９７３号公報。
【非特許文献１】ＺＤｎｅｔＭｏｂｉｌｅ  Ｍｏｂｉｌｅ：Ｎ５０４ｉＳ“飛びの道具”、赤外線リモコンを試す、インターネット＜ｈｔｔｐ：／／ｗｗｗ．ｚｄｎｅｔ．ｃｏ．ｊｐ／ｍｏｂｉｌｅ／０２１１／２６／ｎ＿ｎｉｓ．ｈｔｍｌ＞
【発明の開示】
【発明が解決しようとする課題】
【０００８】
前記特許文献１に提案されている録画予約は、ネットワークに接続可能な特殊なリモコンを用いる必要があると共に、このネットワークによる録画予約の際の番組選定は、専用のホームページを用いることとなり、かつ、ネットワークへの常時接続とその接続回線の利用料金が発生する。このために、特定の条件の下での使用となる。
【０００９】
一方、非特許文献１に開示されている携帯電話にリモコン機能を内蔵させて、電子機器それぞれのリモコンに変わって携帯電話によりリモコン操作ができることは汎用性が高く有用である。この携帯電話のリモコン機能は、複数の電子機器に対応が可能ではあるが、このリモコン機能を用いて電子機器を操作する際には、赤外線信号が届く範囲内に限られる。このため、リモコン機能を有する携帯電話は、従来の録画機器それぞれの専用、あるいは共通使用リモコンによる録画予約と録画予約の操作方法は何ら変わらずほぼ同じであり、録画予約の設定を録画予約するテレビ番組毎に入力する煩雑さは解消されていない。
【００１０】
また、近年、録画予約するテレビ番組、そのテレビ番組を録画する録画機器、及び録画モード等の録画予約情報を、例えば、電車内や人との待ち合わせ時等の比較的暇な時間帯を利用して事前設定記憶させ、帰宅後にその事前設定記憶させた録画予約情報を基に録画機器の録画予約が出来ることが望まれている。
【００１１】
本発明は、このような事情に鑑み、事前に録画予約情報の設定記憶を行い、その事前設定記憶されている録画予約情報を用いて録画機器の録画予約をまとめて実行できるリモートコントロール機能付き携帯端末装置を提供することを目的としている。
【課題を解決するための手段】
【００１２】
本発明のリモートコントロール機能付き携帯端末装置は、少なくとも、情報データ送受信機能、及び録画機器を遠隔操作するリモートコントロール機能を有する携帯端末装置において、前記リモートコントロール機能により遠隔操作を行う１以上の録画機器を特定する録画機器特定手段と、テレビ番組データから録画予約する１以上のテレビ番組の選択と、その選択したテレビ番組を録画させる録画機器の選択を行い、その選択したテレビ番組と録画機器の情報を入力する録画予約入力手段と、この録画予約入力手段から入力された１以上のテレビ番組と録画機器を関連付けて記憶させる録画予約記憶手段と、この録画予約記憶手段に記憶されている１以上の録画予約テレビ番組を録画する録画機器に前記リモートコントロール機能を用いて録画予約テレビ番組情報を送信する録画予約送信手段と、を具備することを特徴としている。
【００１３】
本発明のリモートコントロール機能付き携帯端末装置の録画予約入力手段は、前記情報データ送受信機能を用いてテレビ番組データの専用データベースからテレビ番組データを入手し、そのテレビ番組データから録画予約するテレビ番組を選択して、入力することを特徴としている。
【００１４】
本発明のリモートコントロール機能付き携帯端末装置の録画予約入力手段は、録画予約するテレビ番組に関する少なくとも放送チャンネル、番組開始月日と時刻、番組終了時刻、及び録画機器をキー入力することを特徴としている。
【００１５】
本発明のリモートコントロール機能付き携帯端末装置の録画予約入力手段は、テレビ番組を識別するＧコードに対応する番組情報を有し、録画予約するテレビ番組のＧコードが入力された際に、対応する番組情報に変換することを特徴としている。
【００１６】
本発明のリモートコントロール機能付き携帯端末装置の録画予約送信手段は、前記録画予約記憶手段に記憶されている１以上の録画予約テレビ番組情報を録画機器毎に一括送信することを特徴としている。
【００１７】
本発明のリモートコントロール機能付き携帯端末装置の録画予約送信手段は、前記録画予約記憶手段に記憶されている１以上の録画予約テレビ番組情報を録画記録機器毎に、かつ、録画予約する個別のテレビ番組毎に送信することを特徴としている。
【００１８】
本発明のリモートコントロール機能付き携帯端末装置により、録画予約するテレビ番組と、そのテレビ番組を録画する録画機器の選択が事前に行え、その事前選択した録画予約のテレビ番組を録画する録画機器に対してまとめて送信して録画予約ができるために、録画機器への録画予約の設定操作の効率と、携帯端末装置の利便性が向上する。
【発明の効果】
【００１９】
本発明のリモートコントロール機能付き携帯端末装置は、複数の録画予約を事前に選択でき、その事前に選択した録画予約情報を録画機器に対して、まとめてリモコン送信して録画予約の設定ができるために、録画機器の録画予約操作の効率と、携帯端末装置の利便性が向上する効果を有している。
【発明を実施するための最良の形態】
【００２０】
以下、図面を参照して本発明の実施の形態について詳細に説明する。本発明に係るリモートコントロール機能付き携帯端末装置の全体構成について図１を用いて説明する。なお、本発明のリモートコントロール機能付き携帯端末装置として、携帯電話を例に説明する。
【００２１】
携帯電話１１は、アンテナ１２、送受信部１３、音声復変調部１４、スピーカ１５、マイクロフォン１６、データ複変調部１７、制御部１８、液晶駆動部１９、液晶表示部２０、操作キーボード２１、メモリ２２、リモコン機能部２３、リモコン用メモリ２４、赤外線素子駆動部２５、及び赤外線発光素子２６から構成されている。
【００２２】
アンテナ１２は、通話信号と各種情報データ信号の無線信号を送受信する。送受信部１３は、アンテナ１２から送信する通話信号と情報データ信号の所定の無線信号化と、受信した無線信号から通話信号と情報データ信号の分離処理が行われる。
【００２３】
音声複変調部１４は、送受信部１３から伝送された通話信号を復調してスピーカ１５から出力させ、マイクロフォン１６により生成された音声信号を変調して通話信号として送受信部１３へと出力する。
【００２４】
データ複変調部１７は、送受信部１３から伝送された情報データ信号を復調して情報データを生成し、送信する情報データを変調して情報データ信号を生成する。制御部１８は、マイクロコンピュータからなり、音声複変調部１４、データ複変調部１７、液晶駆動部１９、メモリ２２、リモコン機能部２３の駆動制御を行う。また、この制御部１８は、データ複変調部１７において復調された情報データをメモリ２２の文字、図形データを用いて液晶表示部２０に文字図形表示させたり、操作キーボード２１からのキー入力により情報データを生成してデータ複変調部１７へと出力する。
【００２５】
液晶駆動部１９は、制御部１８の制御により液晶パネルにより構成される液晶表示部２０を駆動制御して、文字図形を表示させる。操作キーボード２１は、電話番号、文字数字、及び各種モード設定用の各種キーからなり、そのキー操作により制御部１８が各種制御行う。メモリ２２は、電話番号やメールアドレス、文字・図形データ、及びリモコン情報等の各種データが書込及び読出しできる記憶素子である。
【００２６】
リモコン機能部２３は、電子機器を赤外線信号によりリモコン操作する際の赤外線信号を生成するもので、リモコン用メモリ２４に記憶されているリモコン用コードデータを用いてリモコン赤外線信号を生成して赤外線素子駆動部２５を介して、赤外線発光素子２６から第１録画機器３０ａ、及び第２録画機器３０ｂ等に送信される。
【００２７】
このような構成の携帯電話１１において、電子機器のリモコンとして用いる際には、操作キーボード２１のメニューキーを操作して、そのメニューの中からリモコン機能の初期設定を行う。電子機器のリモコンは、メーカ、電子機器、電子機器のモデル毎にリモコン用コードが設定されている。そのために、携帯電話１１によりリモコン操作する対象電子機器のリモコン用コードに適合するように設定を行う。このリモコン操作対象の電子機器のリモコン用コード情報データは、メモリ２２、またはリモコン用メモリ２４のいずれかに記憶されているデータを用いて設定する。また、携帯電話１１のネットワーク接続モード（いわゆる、ｉモード）により対象電子機器のリモコン用コード情報データを扱うデータベースにアクセスして、必要なデータをダウンロードして設定しても良い。
【００２８】
このようにして、携帯電話１１のリモコン機能をリモコン操作する電子機器に適合するように初期設定した後、携帯電話１１を用いて電子機器のリモコン操作が可能となる。この携帯電話１１のリモコン機能部２３を用いて、テレビ番組の録画予約動作について、図２のフローチャートと、図３の録画予約一覧画面を用いて説明する。
【００２９】
携帯電話１１は、前述したように、リモコン操作する録画機器に対応するようにリモコン機能の初期設定が必要であるため、ステップＳ１において、録画機器特定手段である携帯電話１１によるリモコン操作する録画機器の特定を行う。
【００３０】
この録画機器特定は、操作キーボード２１のメニューキーを操作してメニューモード動作を行わせる。このメニューキーの操作により制御部１８は、メニューモードを駆動させて、液晶駆動部１９を介して液晶表示部２０にメニュー選択画面の表示を行う。このメニュー選択画面からリモコンモードを選択し、かつ、そのリモコンモードの機能設定モードを選択して、リモコン操作する録画機器のメーカ名と機種名の選択設定を行う。この録画機器の選択設定は、前述したように、メモリ２２、またはリモコン用メモリ２４のいずれかに記憶されている録画機器データから選択するか、あるいは録画機器のデータを有する専用のホームページからダウンロードして、そのダウンロードしたデータの中から録画機器を選択設定する。
【００３１】
これにより、携帯電話１１のリモコン機能の初期設定であるリモコン操作対象である録画機器のメーカ名と機種名に応じたコマンド、データ通信設定、周波数、通信速度、送信手順など赤外線送信プロトコルが設定されて、携帯電話１１からの録画機器３０のリモコン操作が可能となる。
【００３２】
一方、ユーザは、ステップＳ２において、テレビ番組の情報収集を行う。このテレビ番組情報の収集は、携帯電話１１によりテレビ番組情報を配信している専用ホームページにアクセスして、テレビ番組データをダウンロードして液晶表示部２０に表示させたテレビ番組情報、新聞や雑誌などのテレビ番組情報、あるいは、テレビ信号に重畳送信されている電子番組ガイド（ＥＰＧ）データを受信できる機器から得たテレビ番組情報を用いる。
【００３３】
このようなテレビ番組情報から録画予約したい番組が選択されると、ステップＳ３において、録画予約入力手段である録画予約するテレビ番組と、そのテレビ番組を録画する録画機器の情報を入力が行われる。
【００３４】
この録画予約入力は、携帯電話１１をメニューのリモコンモードから録画予約モードに設定する。この録画予約モードにおいて、例えば、新聞雑誌の番組表を基に録画予約る場合は、液晶表示部２０に録画予約画面を表示させる。この録画予約画面は、図３に示すように、放送チャンネル（以下、ＣＨと称する）、番組放送月日と時刻を示す録画開始月日・曜日・時間、番組放送終了時刻を示す録画終了時間、録画させる記録媒体である記録先、記録モード、記録レート、記録音質、及び録画機器の予約項目を表示させ、これらの項目毎に必要事項を操作キーボード２０から入力する。つまり、録画予約するテレビ番組と、そのテレビ番組を録画する録画機器の情報が入力される録画予約入力手段が実行される。
【００３５】
また、テレビ番組データを専用に配信するデータベースにアクセスして、液晶表示部２０にＣＨ毎の番組表が表示され、その番組表から録画予約設定する場合は、例えば、操作キーボード２１のアップダウンキーにより番組表をスクロール操作して、録画予約したい番組にカーソルを設定し、操作キーボード２１の決定キーを操作すると、その決定キーが操作された番組の情報データが取り込まれて、録画予約画面の各項目の、少なくとも、ＣＨ、録画開始月日・曜日・時間、録画終了時間のデータが入力され、その入力された番組に対する記録先、記録モード、記録レート、記録音質、及び録画機器について順次操作キーボード２１から入力する。
【００３６】
さらに、テレビ番組に付されているＧコードを用いて録画予約する場合には、操作キーボード２１のテンキーを用いてコード入力し、その入力されたＧコードと事前に記憶されているＧコードと番組情報データと照合して番組情報に変換、あるいは、テレビ番組専用のデータベースから取り込んだＧコード付き番組データと照合して番組情報に変換して、前記録画予約画面の所定項目に入力する。
【００３７】
なお、ステップＳ１における初期設定の際に、リモコン操作対象の録画機器設定に関連付けて、記録先、記録モード、記録レート、及び記録音質を設定しておくことにより、録画機器を指定入力することにより自動的に設定させることも可能である。
【００３８】
このようにして、録画予約画面により録画予約番組の情報が入力されると、その内容を確認の後、録画予約記憶手段である操作キーボード２１の決定キーを操作して、その録画予約番組データをリモコン用メモリ２４に記憶させる。
【００３９】
次に、ステップＳ４において、録画予約を継続するか確認し、録画予約を継続する場合には、再度ステップＳ３と同様な操作を行い、録画予約する番組情報を入力する。この録画予約の設定が終了すると、ステップＳ５において、メニューのリモコンモードの録画予約一覧表示モードに設定して、図３のように録画予約した全ての番組情報を示す録画予約番組一覧表を液晶表示部２０に表示させる。
【００４０】
この録画予約番組一覧表には、録画予約した番組を変更、削除、順番入れ替え、及び追加が行えるモード切り換えアイコンを表示させ、そのアイコンに対応した操作キーボード２１のキーを操作することにより、録画予約番組の変更、削除、順番入れ替え、及び追加を可能とする。
【００４１】
例えば、録画予約番組一覧表の録画予約番組を録画する録画機器を変更する場合は、変更したい録画番組の録画機器にカーソルを合わせて変更キーを操作して変更モードとし、変更する録画機器を入力する。また、この録画予約番組一覧表にさらに新たな録画予約番組を追加する場合は、追加キーを操作すると、前記ステップＳ３またはＳ４の状態となり、同様に録画予約する番組情報等の入力を行う。
【００４２】
このようにして、リモコン用メモリ２４に１以上の録画予約する番組情報と、その番組を録画する１以上の録画機器の設定入力を、例えば、電車内や待ち合わせ時の比較的暇な時間帯に入力して記憶させる。
【００４３】
この１以上の録画予約番組情報が記憶された携帯電話１１は、ステップＳ６において、録画機器３０に対して、記憶されている録画予約情報を転送送信して、録画機器３０の録画予約設定を行う。この録画機器３０の携帯電話１１による録画予約設定について、図４乃至図７を併用して説明する。
【００４４】
このステップＳ６では、録画予約送信手段である録画予約のテレビ番組情報をその録画予約番組を録画する録画機器に送信させる。この録画予約送信は、操作キーボード２１のメニューキーの操作により、液晶表示部２０にリモコンモード表示させる。このリモコンモードにおいて、操作キーボード２１のリモコンキーの録画予約キーを操作して、ステップＳ５までの入力操作によりリモコン用メモリ２４に記憶されている録画予約情報を読み出し、赤外線素子駆動部２５を介して赤外線発光素子２６から赤外線信号として録画機器３０に送信する。
【００４５】
この録画予約情報の録画機器３０への赤外線送信において、図４に示すように、録画予約番組一覧表を表示させ、この録画予約番組一覧表から録画予約情報を送信する録画機器３０を選択する。例えば、図４に示すように、録画機器３０としてＨＤＤを媒体とするＤＶＤ１と、ビデオカセットテープを媒体とするＶＴＲ１とＶＴＲ２の録画機器が選定されているとする。この録画機器からＤＶＤ１が選択されると、ＤＶＤ１に録画される録画予約番組に＊印が表示される。なお、このＤＶＤ１に録画される録画予約情報の＊印表示に変えて、該当する録画予約番組を示す行の色を変えても良い。つまり、録画機器毎の録画予約番組の情報が識別できるようにする。
【００４６】
このようにして、録画機器の指定とその録画機器に送信する録画予約番組情報が特定されると、次に、図５に示すように、指定された録画機器において録画する録画予約番組情報の全てを一括で送信する全番組録画予約、あるいは、その録画機器において録画する録画予約番組情報を一つずつ録画予約番組毎に送信する個別番組予約のいずれを選択するか表示させる。図５に示す例は、ＤＶＤ１の録画機器において録画予約させる図中＊印３つの録画予約番組全てを送信する全番組録画予約と、３つの録画予約番組を個別に送信する個別番組予約の送信選択設定画面を示している。
【００４７】
この送信選択設定画面から全番組録画予約が選択されて、操作キーボード２１の録画予約キーが操作されると、例えば、ＤＶＤ１の３つ＊印の録画予約番組情報が全て順次送信される。また、個別番組予約が選択されて、操作キーボード２１の録画予約キーが操作されると、その録画予約キーが操作される都度、一つの番組予約情報が送信される。このようにして、録画機器毎に録画予約情報を送信させて、録画機器毎の録画予約を行う。つまり、録画機器が録画する録画予約番組情報が送信する録画予約送信手段が実行される。
【００４８】
この全番組録画予約の際に、ステップＳ３及びＳ４のいずれかにおいて、時間的に異なる時間帯において録画予約情報を入力設定した際に、例えば、図６に示すように、予約Ａ、予約Ｂ、及び予約Ｃのように、予約した時間帯が異なり、各予約間にブランク期間がある場合には、そのブランク期間を最適な短さに切り詰め短縮させて送信することが出来るために、録画機器への送信時間の短縮が図れる。
【００４９】
尚、以上の説明では、３つ＊印の番組を予約する例を説明したが、これに限らず次のような予約方法も可能である。例えば、録画予約選択時に、図５の８ＣＨを予約Ａとし、９月１０日を予約Ｂとし、開始時刻０９：１２を予約Ｃとし、終了時刻を予約Ｄとし、操作キーボード２１の録画予約キーが操作されると、図６下段で示すように、予約Ａ、予約Ｂ、予約Ｃ…が時間を短縮して順次送信されるようにしても良い。
【００５０】
次に、携帯電話１１のリモコン機能を用いて、携帯電話１１に記憶されている録画予約番組情報を、その録画予約番組を録画する録画機器に送信する際に、携帯電話１１の操作キーボード２１のテレビ受像機の電源キーを操作して、テレビ受像機を動作状態とする。テレビ受像機を動作状態とすると、テレビ受像機のビデオ入力端子に接続されている録画機器の内、現在録画予約番組情報を送信設定されている録画機器が接続されているビデオ入力端子に切り換え、その録画機器に設定している録画予約番組情報をテレビ受像機の画面に表示させる。具体的には、ＤＶＤ１に対する録画予約番組情報を送信する際に、テレビ受像機の電源をオンさせておいて、携帯電話１１のリモコンモードにより、録画予約番組情報を送信すると、テレビ受像機はＤＶＤ１が接続されたビデオ端子からの映像に切り換わり、ＤＶＤ１に送信設定している録画予約番組情報が表示される。これにより、ＤＶＤ１に設定される録画予約番組の確認が行える。
【００５１】
以上説明したように、携帯電話のリモコン機能を用いて、録画予約する１以上の番組情報と録画機器を事前入力記憶させておき、その事前記憶された１以上の録画予約番組情報を録画機器に一括、または個別にリモコン送信して録画予約の設定ができる。
【００５２】
なお、上記説明において、携帯電話の例を用いて説明したが、この携帯電話に代わり、各種情報データの送受信が可能な携帯用情報端末機（ＰＤＡ＝Ｐｅｒｓｏｎａ  Ｄａｔａ  Ａｓｓｉｓｔａｎｔ）等に赤外線送信ポートを有し、かつ、録画機器を初めとする電子機器のリモコンの仕様に対応する設定が可能な携帯端末装置を用いることもできる。
【００５３】
また、表示部２０としては、液晶を用いた例を説明したが、これに限ることなく、他の薄型表示ディスプレイを使用することも可能である。
【図面の簡単な説明】
【００５４】
【図１】本発明の一実施形態であるリモートコントロール機能付き携帯端末装置に携帯電話を用いた例の構成を示すブロック図。
【図２】本発明に係るリモートコントロール機能付き携帯電話の録画予約動作を説明するフローチャート。
【図３】本発明に係るリモートコントロール機能付き携帯電話による録画予約画面と録画予約一覧画面を説明する説明図。
【図４】本発明に係るリモートコントロール機能付き携帯電話による録画予約一覧画面から録画機器への録画予約情報の送信を説明する説明図。
【図５】本発明に係るリモートコントロール機能付き携帯電話による録画予約一覧画面から録画機器への録画予約情報の送信を説明する説明図。
【図６】本発明に係るリモートコントロール機能付き携帯電話による録画予約情報の録画機器への送信短縮操作を説明する説明図。
【図７】本発明に係るリモートコントロール機能付き携帯電話による録画予約一覧画面を録画機器への録画予約情報の送信時のテレビ受像機への録画予約情報の表示操作の説明する説明図。
【符号の説明】
【００５５】
１１  携帯電話
１２  アンテナ
１３  送受信部
１４  音声複変調部
１５  スピーカ
１６  マイクロフォン
１７  データ複変調部
１８  制御部
１９  液晶駆動部
２０  液晶表示部
２１  操作キーボード
２２  メモリ
２３  リモコン機能部
２４  リモコン用メモリ
２５  赤外線素子駆動部
２６  赤外線発光素子
代理人  弁理士  伊藤  進
【図１】
2005197840.tif 000003
【図２】
2005197840.tif 000004
【図３】
2005197840.tif 000005
【図４】
2005197840.tif 000006
【図５】
2005197840.tif 000007
【図６】
2005197840.tif 000008
【図７】
2005197840.tif 000009